(57)【要約】【課題】柱体表面が外装パネルで被覆され、且つ該外装パネルの剥がれや損傷が生じ難い格納式進入防止装置を提供する。【解決手段】上端が開放された筒型形状を有し平面視内周形状が正方形である格納体１０と、前記格納体１０内に鉛直方向へ摺動自在に格納された柱体２０とを有し、前記柱体２０が、平面視外周形状が前記格納体１０の平面視内周形状と相似な正方形であって該格納体１０内で回転不能且つ摺動自在な柱本体２１と、該柱本体２１の下端に形成され平面視外周形状が円形であって前記格納体１０内で回転及び摺動自在な支持部２２とを備えた格納式進入防止装置において、前記柱本体２１の側面に、下向きの溝を備えた上側レール３４と上向きの溝を備えた下側レール３５とを設け、上側レール３４及び下側レール３５によって石材から成る外装パネル３１を柱本体２１の側面に支持させる。【選択図】図１
2012087598.tif 000002
【特許請求の範囲】
【請求項１】
上端が開放された筒型形状を有しその平面視内周形状が非円形で且つ回転対称形である格納体と、前記格納体内に鉛直方向へ摺動自在に格納された柱体とを有し、
前記柱体が、平面視外周形状が前記格納体の平面視内周形状と相似であって該格納体内で回転不能且つ鉛直方向へ摺動自在な柱本体と、該柱本体の下端に形成され平面視外周形状が円形であって前記格納体内で回転及び摺動自在な支持部とを備え、
前記柱体の柱本体を前記格納体の上部から突出させた状態で該柱体を鉛直軸周りに回転させることにより、該柱体と格納体を互いに係合させて格納体に対する柱体の没入を抑止することのできる格納式進入防止装置であって、
a) 長方形の外装パネルと、
b) 前記柱本体の側面に設けられ、前記外装パネルの上端を収容する下向きの溝を備えた上側レールと、
c) 前記柱本体の側面に設けられ、前記外装パネルの下端を収容する上向きの溝を備えた下側レールと、
を有し、
前記外装パネルが前記上側レール及び下側レールの間に遊嵌されることにより、該外装パネルが前記柱本体の側面に支持されることを特徴とする格納式進入防止装置。
【請求項２】
前記上側レールの上端位置が前記柱体の上端位置よりも低くなるように構成されていることを特徴とする請求項１に記載の格納式進入防止装置。
【請求項３】
前記外装パネルの上端面と前記上側レールの下向きの溝の上面との間、及び前記外装パネルの下端面と前記下側レールの上向きの溝の上面との間の少なくともいずれか一方に緩衝材が配置されていることを特徴とする請求項１又は２に記載の格納式進入防止装置。
【発明の詳細な説明】
【技術分野】
【０００１】
本発明は、格納式進入防止装置に関する。
【背景技術】
【０００２】
従来、商業施設やマンションの敷地等への車輌の進入を防止するための進入防止装置として、地中に埋設された格納体と地表に出没自在な柱体とを備え、不使用時には柱体を下降させて格納体に格納できる構成のものが広く知られている。しかしながら、一般に、こうした格納式の進入防止装置は、柱体が円柱状であって重厚感に乏しく、美観的に優れたものとはいえなかった。
【０００３】
そこで、本発明者は、重厚感が発揮される非円形の柱体を備えた格納式進入防止装置を考案している（特許文献１）。これによれば、柱体を例えば四角形や六角形等の多角形とすることができるため、円柱状のものに比べて重厚感や安定感が増し、美観を向上させることができる。
【先行技術文献】
【特許文献】
【０００４】
【特許文献１】特開2007-039878号公報
【発明の概要】
【発明が解決しようとする課題】
【０００５】
しかしながら、このような格納式進入防止装置は、その全体がステンレス等の金属で形成されており、周辺環境との調和の点で更なる改善の余地があった。
【０００６】
そこで、例えば上記のような格納式進入防止装置の柱体表面を石材等から成る外装パネルで被覆することが考えられる。しかしながら、こうした外装パネルを金属等から成る柱体の表面に直接貼付した場合、両者の熱膨張率の違いにより、外装パネルが柱体から容易に剥がれてしまうおそれがある。また、柱体を地中に没入させた際には、該柱体上を車輌等が通過する場合があるが、上記のように柱体表面に外装パネルを貼付した構成では、車輌通過時の荷重によって外装パネルに割れや欠け等の損傷が生じる可能性がある。
【０００７】
本発明は上記の点に鑑みて成されたものであり、その目的とするところは、柱体表面が外装パネルで被覆され、且つ該外装パネルの剥がれや損傷が生じ難い格納式進入防止装置を提供することにある。
【課題を解決するための手段】
【０００８】
上記課題を解決するために成された本発明に係る格納式進入防止装置は、
上端が開放された筒型形状を有しその平面視内周形状が非円形で且つ回転対称形である格納体と、前記格納体内に鉛直方向へ摺動自在に格納された柱体とを有し、
前記柱体が、平面視外周形状が前記格納体の平面視内周形状と相似であって該格納体内で回転不能且つ鉛直方向へ摺動自在な柱本体と、該柱本体の下端に形成され平面視外周形状が円形であって前記格納体内で回転及び摺動自在な支持部とを備え、
前記柱体の柱本体を前記格納体の上部から突出させた状態で該柱体を鉛直軸周りに回転させることにより、該柱体と格納体を互いに係合させて格納体に対する柱体の没入を抑止することのできる格納式進入防止装置であって、
a) 長方形の外装パネルと、
b) 前記柱本体の側面に設けられ、前記外装パネルの上端を収容する下向きの溝を備えた上側レールと、
c) 前記柱本体の側面に設けられ、前記外装パネルの下端を収容する上向きの溝を備えた下側レールと、
を有し、
前記外装パネルが前記上側レール及び下側レールの間に遊嵌されることにより、該外装パネルが前記柱本体の側面に支持されることを特徴としている。
【０００９】
なお、上記構成の格納式進入防止装置においては、前記上側レール及び下側レールの間に前記外装パネルを遊嵌した状態で、該外装パネルの上端面と前記上側レールの下向きの溝の上面との間に３ｍｍ以上、より望ましくは５ｍｍ〜１０ｍｍ程度の隙間が形成されるようにするとよい。
【００１０】
上記のように、外装パネルを前記上側レールと下側レールに遊嵌することにより、外装パネルを柱体側面に直接貼付することなく取り付けることができるため、柱体と外装パネルの熱膨張率の違い等による外装パネルの剥がれを防止することができる。また、地中に没入された柱体の上を車輌等が通過した場合であっても、その荷重が外装パネルに加わることがないため、外装パネルの割れや欠けなどの損傷を防止することができる。また、外装パネルが上側レール及び下側レールに上下方向及び厚さ方向に遊びを有して嵌合されるため、柱本体への外装パネルの取り付けや交換を容易に行うことができるという効果もある。
【００１１】
また、前記本発明に係る格納式進入防止装置は、前記上側レールの上端位置が前記柱体の上端位置よりも低くなるように構成することが望ましい。
【００１２】
このような構成によれば、地中に没入された柱体の上を車輌等が通過した場合でも、その荷重が上側レールを介して外装パネルに加わることがないため、外装パネルの損傷をより効果的に防止することができる。なお、前記構成において上側レールの上端位置は前記柱体の上端位置よりも５ｍｍ以上低くすることが望ましい。
【００１３】
また、前記本発明に係る格納式進入防止装置は、前記外装パネルの上端面と前記上側レールの下向きの溝の上面との間、及び前記外装パネルの下端面と前記下側レールの上向きの溝の上面との間の少なくともいずれか一方に緩衝材が配置されたものとすることが望ましい。
【００１４】
このような構成によれば、柱体を格納体に格納する際に、誤って柱体を落下させてしまった場合でも、外装パネルに加わる衝撃を緩衝材に吸収させることができ、外装パネルの破損を防止することができる。
【発明の効果】
【００１５】
以上で説明したとおり、上記本発明に係る格納式進入防止装置によれば、柱体表面を外装パネルで被覆することができ、且つ該外装パネルの剥がれや損傷の発生を抑えることができる。
【図面の簡単な説明】
【００１６】
【図１】本発明の一実施例に係る格納式進入防止装置の動作を説明する断面図であり、（ａ）は柱体が格納体に格納された状態を、（ｂ）は柱本体を格納体から完全に突出させた状態を、（ｃ）は柱体を回転させた状態を、（ｄ）は柱本体の下部を格納体に没入させた状態を示している。
【図２】同実施例における格納体の斜視図。
【図３】前記格納体の断面図であり、（ａ）は正断面図、（ｂ）は側断面図である。
【図４】同実施例における柱体を示す図であり、（ａ）は外観斜視図、（ｂ）は内部構造を示す一部破断斜視図である。
【図５】前記柱体の断面図であり、（ａ）は正断面図、（ｂ）は側断面図である。
【図６】同実施例におけるパネル取り付け板を示す図であり、（ａ）は正面図、（ｂ）は側断面図である。
【図７】同実施例における外装パネルを示す図であり、（ａ）は正面図、（ｂ）は側断面図である。
【図８】前記パネル取り付け板及び外装パネルの側断面図であり、（ａ）はパネル取り付け板に外装パネルを取り付けた状態を示し、（ｂ）は更に外装パネルの上端面と上側のガイドレールの間に緩衝材を配置した状態を示している。
【図９】柱本体にパネル取り付け板及び外装パネルを取り付けた状態を示す横断面図。
【図１０】同実施例における筐体の構成を示す図であり、（ａ）は正断面図、（ｂ）は上面図である。
【図１１】柱体上部への筐体及び枠部の取り付け方法を示す分解側断面図。
【発明を実施するための形態】
【００１７】
以下、本発明を実施するための形態について、実施例を用いて説明する。
【００１８】
図１は、本実施例に係る格納式進入防止装置の断面図である。本実施例に係る格納式進入防止装置は、地中に埋設される格納体１０と、格納体１０内に格納され、地表に出没可能な柱体２０とを備えている。なお、本実施例に係る格納式進入防止装置は、後述する外装パネル３１、４３及びモルタル４４を除く全体がステンレスで形成されている。
【００１９】
格納体１０は、図２、３に示すように、上面が開口した箱形の形状を有しており、その平面視内周形状は正四角形となっている。格納体１０の上端縁には、外周方向へ突出したフランジ状の外鍔１１が設けられており、該外鍔１１を地表面に載せるようにして該格納体１０が地中に埋設される。また、格納体１０の底面板１２の中央からは鉛直方向に延びる支柱１３が立設されており、該支柱１３の上端には角を丸めた矩形（正方形を除く長方形）状の平面視形状を有する受け板１４が設けられている。
【００２０】
柱体２０は、図４、５に示すように、角柱形状から成る柱本体２１と、円柱形状から成る支持部２２とを有しており、両者は同軸に配置されている。前記柱本体２１の平面視外周形状は、前記格納体１０の内周形状と相似な正方形であり、該柱本体２１は、格納体１０内部で回転不能且つ軸線方向に摺動自在となっている。また、前記支持部２２の平面視外周形状は円形であり、その直径は前記格納体１０の平面視内周形状の正方形の一辺よりも小さくなっている。このため、前記支持部２２は前記格納体１０に対して軸線方向に摺動自在であり、且つ前記柱本体２１を格納体１０から突出させた状態で格納体１０内部で回転させることができる。
【００２１】
前記柱本体２１及び支持部２２は、いずれも中空であり、柱本体２１と支持部２２の間には隔壁２５が設けられている。隔壁２５には、受け板１４及び支柱１３を通過させるための長孔２５ａが設けられており、該長孔２５ａによって柱本体２１内の中空部２３と支持部２２内の中空部２４とが連通している。該長孔２５ａの長手方向の寸法は、前記受け板１４の長手方向の寸法よりも大きくなっており、該長孔２５ａの短手方向の寸法は、前記受け板１４の短手方向の寸法よりも大きく且つ長手方向の寸法よりも小さくなっている。
【００２２】
支持部２２の下端面に設けられた底面板２６には、支柱１３を挿通するための支柱挿通孔２６ａが設けられている。また、柱本体２１の上部開口には蓋部４０が取り付けられており、該蓋部４０の上面には該柱体２０を格納体１０から引き出す際に使用者が指を掛けるための指掛け部４６が設けられている。
【００２３】
なお、柱本体２１の側面板２１ａ〜ｄの外側には、柱本体の外周面を覆う外装パネル３１を保持するためのパネル取り付け板３２がネジ留め等により取り付けられている。
【００２４】
以下、このパネル取り付け板３２及び外装パネル３１について詳しく説明する。図６はパネル取り付け板３２の正面図及び側断面図であり、図７は外装パネル３１の正面図及び側断面図である。また、図８はパネル取り付け板３２に外装パネル３１を取り付けた状態を示す側断面図であり、図９は柱本体にパネル取り付け板３２及び外装パネル３１を取り付けた状態を示す横断面図である。
【００２５】
パネル取り付け板３２は、平板状の背面支片３３と水平方向に延びる一対のガイドレール３４、３５を備えている。該背面支片３３及びガイドレール３４、３５は、厚さ２ｍｍの一枚のステンレス板を折り曲げることによって一体に形成されており、上側のガイドレール３４は、背面支片３３の上辺から水平方向外側に延びる水平片３４ａと、該水平片３４ａの長手方向の端縁から下向きに延びる前面支片３４ｂとを備えている。なお、前記水平片３４ａの下面が本発明における「上側レールの下向きの溝の上面」に相当する。また、下側のガイドレール３５は、背面支片３３の下辺から水平方向外側に延びる水平片３５ａと、該水平片３５ａの長手方向の端縁から上向きに延びる前面支片３５ｂとを備えている。なお、前記水平片３５ａの上面が本発明における「下側レールの上向きの溝の上面」に相当する。
【００２６】
背面支片３３の長さ（図中のＬ１）は３９０ｍｍ、幅（図中のＷ１）は２３０ｍｍであり、水平片３４ａ、３５ａ及び前面支片３４ｂ、３５ｂの幅は背面支片３３の幅Ｗ１と同一である。また、前面支片３４ｂ、３５ｂの高さ（図中のＬ１ａ）は１０ｍｍであり、背面支片と前面支片の対向する面同士の間隔（図中のＤ１）は１４ｍｍ、上下のガイドレール３４、３５の間隔、即ち、上側のガイドレール３４の水平片３４ａの下面と下側のガイドレール３５の水平片３５ａの上面との間隔（図中のＬ１ｂ）は３８６ｍｍである。
【００２７】
外装パネル３１は、御影石等の石材から成る平板である。その厚さ（図中のＤ２）は１０ｍｍであり、上記のＤ１よりも小さくなっている。外装パネル３１の幅（図中のＷ２）は２３５ｍｍであり、パネル取り付け板３２の幅Ｗ１よりもやや大きくなっている。また、外装パネル３１の長さ（図中のＬ２）は３８３ｍｍであり、上下のガイドレール３４、３５の間隔（図中のＬ１ｂ）よりも３ｍｍ短くなっている。
【００２８】
外装パネル３１は、その上端縁及び下端縁をガイドレール３４、３５に沿ってスライドさせることによりパネル取り付け板３２上に取り付けられる。このとき、図９に示すように隣接する外装パネル３１同士をシール材３７等で互いに固定することにより、外装パネル３１がパネル取り付け板３２から抜け落ちるのを防止することができる。
【００２９】
なお、本実施例においてパネル取り付け板３２の長さＬ１は、柱本体２１の高さよりも小さくなっており、パネル取り付け板３２を柱本体２１の側面に取り付けた状態において、上側のガイドレール３４の水平片３４ａの上面位置が柱本体２１の上端位置よりも低くなるように構成されている（図５参照）。このため、柱体２０を地中に没入させた状態で車輌等が該柱体２０上を通過した場合でも、その荷重が上側のガイドレール３４を介して外装パネル３１に加わることがないため、外装パネル３１の損傷をより効果的に防止することができる。
【００３０】
また、ここではパネル取り付け板３２を柱本体２１とは別体に構成する例を示したが、これに限らず、パネル取り付け板３２を柱本体２１と一体に構成するようにしてもよい。この場合、柱本体２１の各側面板２１ａ〜ｄの上下片を切り起こすことによりガイドレール３４、３５を形成することができる。また、ガイドレール３４、３５をそれぞれ別体に形成し、ネジ留め等によって柱本体２１の各側面板２１ａ〜ｄに直接取り付けるようにしてもよい。
【００３１】
以上のように、外装パネル３１を柱本体２１に直接貼りつけず、該柱本体の外周面に設けたガイドレール３４、３５によって支持させる構成とすることにより、柱本体と外装パネルの熱膨張率の違いによる外装パネルの剥離を防止することができる。また、上記のように外装パネル３１の長さを上下のガイドレール３４、３５の間隔よりも短くしたことにより、外装パネル３１の上端面と上側のガイドレール３４の水平片３４ａの下面との間に隙間（図８（ａ）中のＳ）ができるため、柱本体に車輌等の荷重が掛かった場合にも該外装パネル３１に荷重が加わることがなく、外装パネル３１の割れや欠けを防止することができる。なお、前記の隙間Ｓには、図８（ｂ）のように弾性樹脂から成るガスケットやコーキング等の緩衝材３６を配置することが望ましい。これにより、格納体１０に柱体２０を格納する際に、誤って柱体２０を落下させてしまった場合でも、外装パネル３１に加わる衝撃を緩衝材３６によって吸収し、外装パネル３１の破損を防止することができる。また、このような外装パネル３１の上端面と上側のガイドレールレール３４との間の緩衝材３６に代えて又は加えて、外装パネル３１の下端面と下側のガイドレール３５との間に同様の緩衝材を設けるようにしてもよい。
【００３２】
続いて、上記柱体の上部に取り付けられる蓋部４０について詳しく説明する。蓋部４０は、ステンレス製の筐体４１と枠体４５、及び石材から成る上面外装パネル４３を備えている。
【００３３】
筐体４１は、図９に示すような上面が開口した箱形の形状を有しており、その平面視外周形状は柱本体２１の内周面と相似な正方形となっている。筐体４１の上端縁には、外周方向へ突出したフランジ状の突出片４１ａが設けられており、筐体４１は、突出片４１ａを柱本体２１の側面板２１ａ〜ｄの上辺に載せるようにして柱本体２１内に収容される。該筐体４１の内部にはモルタル又はセメント（以下、単にモルタル４４と呼ぶ）が充填され、該モルタル４４の上部には上面外装パネル４３が載置される。上面外装パネル４３は、上記の外装パネル３１と同じく厚さ１０ｍｍの御影石から成る石板であり、その平面視形状は、筐体４１の内周面と同一寸法の正方形となっている。
【００３４】
蓋部４０を形成する際には、まず、補強のためにステンレス製の桟４２を収容した筐体４１内部にモルタル４４を流し込み、その上に上面外装パネル４３を載置してモルタル４４を乾燥させる。これにより、該上面外装パネル４３とモルタル４４の一体物が形成される。続いて、この上面外装パネル４３とモルタル４４の一体物を収容した筐体４１を柱本体２１の上部開口に取り付け、更にその上に枠体４５を取り付け、該枠体４５と柱本体２１をネジ留め等によって互いに固定する。
【００３５】
上記のように上面外装パネル４３をモルタル４４との一体物とすることにより、強度を高め、上述のような車輌通過時などにおける該パネルの割れや欠けの発生を防止することができる。
【００３６】
以上の構成から成る本実施例の格納式進入防止装置の使用方法について図１（ａ）〜（ｄ）を用いて説明する。なお、以下では、図１（ａ）のように柱体２０が格納体１０に格納された状態を不使用状態と呼び、図１（ｄ）のように柱本体２１を格納体１０から突出させて柱体２０を支柱１３により支持した状態を使用状態と呼ぶものとする。
【００３７】
本実施例の格納式進入防止装置を不使用状態から使用状態にする際には、まず、地中に埋没した柱体２０を上方に引き上げて柱本体２１を格納体１０から完全に突出させる（図１（ｂ））。このとき、支柱１３の受け板１４の長手方向と隔壁２５の長孔２５ａの長手方向とが一致しており受け板１４が長孔２５ａを通過することができるため、前記受け板１４は、柱体２０の支持部２２内の中空部２４に位置した状態となる。なお、図１（ｂ）の状態から柱体２０を更に引き上げた場合、柱体２０の底面板２６の支柱挿通孔２６ａの周縁に受け板１４の下面が当接するため、柱体２０が格納体１０から完全に抜け出てしまうことはない。
【００３８】
続いて、上記の状態から柱体２０を９０°回転させる（図１（ｃ））。これにより、支柱１３の受け板１４の長手方向と隔壁２５の長孔２５ａの長手方向とが直交した状態となる（即ち、平面視で受け板１４の一部と隔壁２５の一部とが重なった状態となる）。なお、正方形は９０°の回転対称であるため、柱体２０を図１（ｂ）の状態から９０°回転、１８０°回転、又は２７０°回転させることにより他の回転対象位置に位置させることができる。ここで、上記の９０°回転のほか、２７０°回転させた場合にも受け板１４の一部と隔壁２５の一部とが重なった状態となるが、１８０°回転させた場合には両者は重ならず受け板１４は長孔２５ａを通過することとなる。
【００３９】
次に、柱体２０を僅かに下降させて柱本体２１の下部を格納体１０に没入させる（図１（ｄ））。これにより、支柱１３の受け板１４の上面に隔壁２５の下面が当接し、柱体２０が支柱１３によって下方から支持される。また、柱本体２１の外周面が格納体１０の内周面に外接し、柱本体２１のがたつきが防止されると共に、柱体２０の回転が規制されて前記の支持状態が維持される。
【００４０】
一方、本実施例の格納式進入防止装置を使用状態から不使用状態にする際には、上記とは逆の手順で操作を行う。即ち、図１（ｄ）の状態から柱体２０を一旦引き上げ（図１（ｃ））、該柱体２０を９０°回転させて受け板１４と隔壁２５が重ならない状態（図１（ｂ））とした後に、柱体２０を引き下げ、柱本体２１を格納体１０に完全に没入させる（図１（ａ））。
【００４１】
以上、実施例を用いて本発明を実施するための形態について説明を行ったが、本発明は上記の実施例に限定されるものではなく、本発明の趣旨の範囲で適宜変更が許容されるものである。
【００４２】
例えば、上記実施例では、柱本体２１の外周及び格納体１０の内周の平面視形状が正方形の場合を例に説明したが、他の複数回回転対称図形であってもよい。
【００４３】
また、支柱１３の受け板１４と支持部２２の長孔２５ａの形状は、図１〜５に示した形状に限定されるものではなく、少なくとも一つの回転対称位置において、平面視で受け板１４と隔壁２５が重ならず（即ち、受け板１４が長孔２５ａを通過することができ）、他の回転対象位置の少なくとも一つでは、平面視で受け板１４と隔壁２５が重なる（即ち、受け板１４が長孔２５ａを通過できない）ように構成されていればよい。
【００４４】
また、柱体２０と格納体１０とを係合させる機構は、このような支柱と受け板を用いる構成に限らず、少なくとも一つの回転対象位置で柱体と格納体を係合させることができ、他の回転対象位置の少なくとも一つでは、該係合が解除されるようなものであればよい。従って、例えば、支柱１３を設けずに受け板を格納体１０の内面側に設け、少なくとも一つの回転対象位置において該受け板と係合する係合部を柱体２０に設けた構成としてもよい。
【００４５】
なお、上記実施例の格納式進入防止装置では、外装パネル３１、４３及びモルタル４４を除く全体がステンレスから成るものであり、外装パネル３１、４３を御影石から成るものとしたが、これに限らず、格納体１０や柱体２０を他の金属で形成したり、外装パネルを他の石材やプラスチックで形成するなど、各種の素材を用いることができる。
【符号の説明】
【００４６】
１０…格納体
１３…支柱
１４…受け板
２０…柱体
２１…柱本体
２１ａ〜ｄ…側面板
２２…支持部
２５…隔壁
２５ａ…長孔
３１…外装パネル
３２…パネル取り付け板
３３…背面支片
３４…上側のガイドレール
３５…下側のガイドレール
３６…緩衝材
４０…蓋部
４１…筐体
４２…桟
４３…上面外装パネル
４４…モルタル
４５…枠体
【図１】
2012087598.tif 000003
【図２】
2012087598.tif 000004
【図３】
2012087598.tif 000005
【図４】
2012087598.tif 000006
【図５】
2012087598.tif 000007
【図６】
2012087598.tif 000008
【図７】
2012087598.tif 000009
【図８】
2012087598.tif 000010
【図９】
2012087598.tif 000011
【図１０】
2012087598.tif 000012
【図１１】
2012087598.tif 000013